【手続補正書】
【提出日】平成17年4月4日(2005.4.4)
【手続補正１】
【補正対象書類名】明細書
【補正対象項目名】特許請求の範囲
【補正方法】変更
【補正の内容】
【特許請求の範囲】
【請求項１】
過電流保護および地絡保護機能を備えた漏電遮断器であって、主接点，開閉機構，操作ハンドル，過電流引外し装置，および漏電検出回路を含む漏電引外し装置を一括して本体ケースに装備し、前記漏電検出回路の電源を、主回路に接続された電源線を介して給電するようにしたものにおいて、
主接点のＯＮ，ＯＦＦ動作に連動して、前記電源線の給電回路を入り，切りする耐電圧テスト用スイッチを備えたことを特徴とする漏電遮断器。
【請求項２】
請求項１に記載の漏電遮断器において、耐電圧テスト用スイッチとして、漏電遮断器の付属品である補助スイッチを用いたことを特徴とする漏電遮断器。
【請求項３】
過電流保護および地絡保護機能を備えた漏電遮断器であって、主接点，開閉機構，操作ハンドル，過電流引外し装置，および漏電検出回路を含む漏電引外し装置を一括して本体ケースに装備し、前記漏電検出回路の電源を、主回路に接続された電源線を介して給電するようにしたものにおいて、
前記電源線を切断する耐電圧テスト用スイッチを備え、該耐電圧テスト用スイッチは、電源線の各線または１線を除く各線に接続され、この電源線を一括して入り，切りする手動操作式の耐電圧テスト用スイッチであることを特徴とする漏電遮断器。
【請求項４】
過電流保護および地絡保護機能を備えた漏電遮断器であって、主接点，開閉機構，操作ハンドル，過電流引外し装置，および漏電検出回路を含む漏電引外し装置を一括して本体ケースに装備し、前記漏電検出回路の電源を、主回路に接続された電源線を介して給電するようにしたものにおいて、
前記電源線の給電回路を入り，切りする手動操作式の耐電圧テスト用スイッチを備え、前記耐電圧テスト用スイッチは、該耐電圧テスト用スイッチのＯＦＦ位置で、主回路の投入を阻止するようにしたことを特徴とする漏電遮断器。
【請求項５】
過電流保護および地絡保護機能を備えた漏電遮断器であって、主接点，開閉機構，操作ハンドル，過電流引外し装置，および漏電検出回路を含む漏電引外し装置を一括して本体ケースに装備し、前記漏電検出回路の電源を、主回路に接続された電源線を介して給電するようにしたものにおいて、
前記電源線の給電回路を入り，切りする耐電圧テスト用スイッチを備え、該耐電圧テスト用スイッチのＯＦＦ操作に連動して開閉機構をトリップ動作させ、主接点を開極するようにしたことを特徴とする漏電遮断器。
【請求項６】
請求項５に記載の漏電遮断器において、耐電圧テスト用スイッチに該スイッチのＯＮ，ＯＦＦ操作に従動するアクチュエータを設けた上で、該アクチュエータを開閉機構のトリップクロスバーに連係し、耐電圧テスト用スイッチのＯＦＦ操作により、トリップクロスバーをラッチ釈放位置に駆動して開閉機構をトリップさせるとともに、トリップクロスバーをラッチ釈放位置に拘束して主接点の投入を阻止し、耐電圧テスト用スイッチのＯＮ復帰操作でトリップクロスバーの拘束を解除するようにしたことを特徴とする漏電遮断器。
【請求項７】
請求項５に記載の漏電遮断器において、耐電圧テスト用スイッチに該スイッチのＯＮ，ＯＦＦ操作に従動するアクチュエータを設けた上で、該アクチュエータを開閉機構のトリップクロスバーに連係し、耐電圧テスト用スイッチのＯＦＦ操作によりトリップクロスバーをラッチ釈放位置に駆動して開閉機構をトリップさせ、ハンドルのリセット操作によりトリップクロスバーをラッチ鎖錠位置に駆動してラッチ機構をリセットさせると同時に、トリップクロスバーを介して耐電圧テストスイッチをＯＮに復帰させるようにしたことを特徴とする漏電遮断器。
【請求項８】
請求項６または７に記載の漏電遮断器において、耐電圧テスト用スイッチがスライドスイッチ，あるいはトグルスイッチであり、その操作ノブに連結した操作部材にアクチュエータを設けたことを特徴とする漏電遮断器。
【手続補正２】
【補正対象書類名】明細書
【補正対象項目名】００１５
【補正方法】変更
【補正の内容】
【００１５】
【課題を解決するための手段】
上記目的を達成するために、本発明によれば、過電流保護および地絡保護機能を備えた漏電遮断器であって、主接点，開閉機構，操作ハンドル，過電流引外し装置，および漏電検出回路を含む漏電引外し装置を一括して本体ケースに装備し、前記漏電検出回路の電源を、主回路に接続された電源線を介して給電するようにしたものにおいて、
主接点のＯＮ，ＯＦＦ動作に連動して、前記電源線の給電回路を入り，切りする耐電圧テスト用スイッチを備える（請求項１）ものとし、その実施態様として、耐電圧テスト用スイッチに、漏電遮断器の付属品である補助スイッチを用いる（請求項２）ことができる。
【手続補正３】
【補正対象書類名】明細書
【補正対象項目名】００１７
【補正方法】変更
【補正の内容】
【００１７】
また、この場合に前記の耐電圧テスト用スイッチとして、漏電遮断器の付属装置品である補助スイッチ（補助スイッチの本来の機能は、遮断器の主接点の開閉状態を電気信号で外部に取り出すためのスイッチ）を用いて補助スイッチを主回路と漏電検出回路との間の電源線に接続すれば、漏電遮断器に大きな変更を加えることなしに耐電圧試験に対応させることができる。
更に、前記電源線を切断する耐電圧テスト用スイッチを備え、該耐電圧テスト用スイッチは、電源線の各線または１線を除く各線に接続され、この電源線を一括して入り，切りする手動操作式の耐電圧テスト用スイッチで構成するようにする。また、前記電源線の給電回路を入り，切りする手動操作式の耐電圧テスト用スイッチを備え、前記耐電圧テスト用スイッチは、該耐電圧テスト用スイッチのＯＦＦ位置で、主回路の投入を阻止するように構成する。更に、前記電源線の給電回路を入り，切りする耐電圧テスト用スイッチを備え、該耐電圧テスト用スイッチのＯＦＦ操作に連動して開閉機構をトリップ動作させ、主接点を開極するように構成するものとし、その具体的な実施態様として次記のように構成することができる。
【手続補正４】
【補正対象書類名】明細書
【補正対象項目名】００１８
【補正方法】変更
【補正の内容】
【００１８】
(1) 耐電圧テスト用スイッチに該スイッチのＯＮ，ＯＦＦ操作に従動するアクチュエータを設けた上で、該アクチュエータを開閉機構のトリップクロスバーに連係し、耐電圧テスト用スイッチのＯＦＦ操作により、トリップクロスバーをラッチ釈放位置に駆動して開閉機構をトリップさせるとともに、トリップクロスバーをラッチ釈放位置に拘束して主接点の投入を阻止し、耐電圧テスト用スイッチのＯＮ復帰操作でトリップクロスバーの拘束を解除するように構成する（請求項６）。
(2)耐圧テスト用スイッチに該スイッチのＯＮ，ＯＦＦ操作に従動するアクチュエータを設けた上で、該アクチュエータを開閉機構のトリップクロスバーに連係し、耐電圧テスト用スイッチのＯＦＦ操作によりトリップクロスバーをラッチ釈放位置に駆動して開閉機構をトリップさせ、ハンドルのリセット操作によりトリップクロスバーをラッチ鎖錠位置に駆動してラッチ機構をリセットさせると同時に、トリップクロスバーを介して耐電圧テストスイッチをＯＮに復帰させるように構成する(請求項７)。
【手続補正５】
【補正対象書類名】明細書
【補正対象項目名】００１９
【補正方法】変更
【補正の内容】
【００１９】
(3) 前項(1),(2) において、耐電圧テスト用スイッチにスライドスイッチ，あるいはトグルスイッチを用い、その操作ノブに連結した操作部材にアクチュエータを設けてトリップクロスバーに連係させる（請求項８）。
上記の構成において、耐電圧試験の際に耐電圧テスト用スイッチをＯＦＦ操作すると、漏電検出回路が主回路から切り離されるとともに、このスイッチ操作に連動して開閉機構がトリップ動作し、主接点が開極する。これにより、耐電圧試験の準備が整い、漏電検出回路を主回路から切り離した状態で耐電圧試験を安全に行なうことができる。
【手続補正６】
【補正対象書類名】明細書
【補正対象項目名】００２４
【補正方法】変更
【補正の内容】
【００２４】
この状態から、耐電圧試験の実施に際して主接点を開極するために、操作ハンドル４をＯＮからＯＦＦの位置に移動すると、図７で説明したように開閉機構部３のトグルリンク機構が反転動作して可動接触子１５が開極するとともに、この動作に連動して接触子ホルダ１６の後端がアクチュエータ２３を押す。これにより、アクチュエータ２３は反時計方向に回動して補助スイッチ２２から離脱し、これに応動して補助スイッチの各マイクロスイッチがＯＦＦとなる。つまり、図１における耐電圧テスト用スイッチ２１が開いて、漏電検出回路７と主回路１との間の電源回路が断路される。したがって、この状態で耐電圧試験を行なえば、漏電検出回路７を試験電圧から保護できる。
【手続補正７】
【補正対象書類名】明細書
【補正対象項目名】００２６
【補正方法】変更
【補正の内容】
【００２６】
〔実施例２〕
次に、本発明の請求項３〜８に対応する実施例の構成，動作を図４〜図７で説明する。
この実施例は、図１における耐電圧テスト用スイッチ２１について、その機能をさらに発展させたものである。すなわち、この実施例では耐電圧テスト用スイッチ２１を手動操作式スイッチとした上で、このスイッチを後記のように開閉機構３のトリップクロスバーに連係させる。そして、耐電圧試験の際に耐電圧テスト用スイッチ２１を手動でＯＦＦ操作し、主回路１と漏電検出回路７との間に配線した電源線９の給電回路を断路すると、これに連動して開閉機構部３がトリップして主接点１が開極し、これで耐電圧試験の準備が整う。また、耐電圧試験の終了後に漏電遮断器を通常の使用状態に戻す場合には、耐電圧テスト用スイッチ２１をＯＮ位置に復帰操作するか、あるいは操作ハンドル４をＲＥＳＥＴ位置に移動操作しない限り、ラッチ機構をリセットできないようにして主接点の投入を阻止し、耐電圧テスト用スイッチ２１の入れ忘れを防ぐようにしている。
【手続補正８】
【補正対象書類名】明細書
【補正対象項目名】００２８
【補正方法】変更
【補正の内容】
【００２８】
そして、この耐電圧テスト用スイッチ２１を図４で示す位置に組付けると、この位置で前記のアクチュエータ２６ａの先端が開閉機構のトリップクロスバー２０に対峙し、図６(a),(b) で示すようにアクチュエータ２６ａとトリップクロスバー２０との間がインターロックされる。
図６(a) は図５に示した耐電圧テスト用スイッチ２１について、そのスイッチカバー２６を右方向にスライド操作してスライドスイッチ２４をＯＮ位置に保持し、かつ操作ハンドル４をＯＮ位置にセットして可動接触子１５を閉極した定常の主回路通電状態を表しており、図１における耐電圧テスト用スイッチ２１の接点が閉じて主回路１から電源線９を介して漏電検出回路７に給電している状態に対応している。また、この状態では、図６(a) のようにトリップクロスバー２０はアクチュエータ２６ａの拘束を受けずに開閉機構３のラッチ１８を係止保持している。
【手続補正９】
【補正対象書類名】明細書
【補正対象項目名】００３４
【補正方法】変更
【補正の内容】
【００３４】
【発明の効果】
以上述べたように、本発明によれば、過電流保護および地絡保護機能を備えた漏電遮断器であって、主接点，開閉機構，操作ハンドル，過電流引外し装置，および漏電検出回路を含む漏電引外し装置を一括して本体ケースに装備し、前記漏電検出回路の電源を、主回路に接続された電源線を介して給電するようにしたものにおいて、主接点のＯＮ，ＯＦＦ動作に連動して、前記電源線の給電回路を入り，切りする耐電圧テスト用スイッチを備える、あるいは、前記電源線を切断する耐電圧テスト用スイッチを備え、該耐電圧テスト用スイッチは、電源線の各線または１線を除く各線に接続され、この電源線を一括して入り，切りする手動操作式の耐電圧テスト用スイッチとする、あるいは前記電源線の給電回路を入り，切りする手動操作式の耐電圧テスト用スイッチを備え、前記耐電圧テスト用スイッチは、該耐電圧テスト用スイッチのＯＦＦ位置で、主回路の投入を阻止するように構成する、あるいは前記電源線の給電回路を入り，切りする耐電圧テスト用スイッチを備え、該耐電圧テスト用スイッチのＯＦＦ操作に連動して開閉機構をトリップ動作させ、主接点を開極するように構成したことにより、
漏電遮断器の製品について耐電圧試験を行なう際には、従来のように遮断器の本体ケースを開いて漏電検出回路の電源線を主回路から切り離すといった面倒な準備作業が必要なく、操作ハンドルで主接点をＯＦＦする、あるいは手動操作式の耐電圧テスト用スイッチをＯＦＦするだけで、漏電検出回路を主回路から切り離して安全に耐電圧試験を実施することができる。
【手続補正１０】
【補正対象書類名】明細書
【補正対象項目名】００３５
【補正方法】変更
【補正の内容】
【００３５】
これにより、メーカーから出荷した漏電遮断器の製品について、現在諸外国で行われているようにユーザーサイドで耐電圧試験を実施する場合でも簡単操作で試験を安全に行なうことができる。しかも、耐電圧試験の終了後に漏電遮断器を通常の使用状態に戻す場合に、請求項１の発明では、操作ハンドルで主接点を投入することで、これに連動して耐電圧テスト用スイッチが自動的にＯＮ位置復帰する。
また、請求項６又は７の発明では、手動操作式の耐電圧テスト用スイッチをＯＦＦからＯＮに復帰操作する，あるいは操作ハンドルをリセット操作しない限りは主接点を投入できない。